【手続補正書】
【提出日】平成19年10月10日(2007.10.10)
【手続補正１】
【補正対象書類名】明細書
【補正対象項目名】特許請求の範囲
【補正方法】変更
【補正の内容】
【特許請求の範囲】
【請求項１】  脊柱の一部分に対する骨固定装置において、該骨固定装置は、
第一の端部と第二の端部との間を長手方向に伸びる中心軸線に沿った長さと、該長さに沿った上面及び底面とを有する板であって、前記面の間の複数の第一の開口部と複数の第二の開口部とを有する前記板を備え、
該複数の第一の開口部の少なくとも１つが前記第一の端部に隣接して配置され、該１つの第一の開口部が前記底面に隣接して第一の直径を有する円形の穴を画成し、
前記複数の第二の開口部の少なくとも１つが前記第二の端部に隣接して配置され、該１つの第二の開口部が前記底面に隣接して第一の幅及び第一の長さを有するスロットを画成し、
前記骨固定装置は更に、
前記第一及び第二の開口部を貫通して伸びる骨係合締結具であって、前記骨係合締結具の各々が骨係合ねじを画成する細長い軸部と、拡張した頭部とを有し、該軸部が前記第一の直径よりも小さい第二の直径の実質的に円筒状の円筒状部分を備え、前記骨係合締結具を前記１つの第一の開口部を通じて挿入することができ、前記円筒状部分が前記１つの前記第一の開口部内にて前記板に接触し、前記骨係合締結具が前記板に対して一定の配向状態となるようにし、前記円筒状部分の第二の直径が前記第一の幅よりも小さく、前記骨係合締結具を前記板の前記上面から前記１つの第二の開口部を通じて挿入することができ、前記骨係合締結具の前記頭部が前記少なくとも１つの第二の開口部の長さに沿って並進し、脊柱部分の圧縮状態を維持し得るようにした前記骨係合締結具を備える、骨固定装置。
【請求項２】  請求項１の骨固定装置において、前記第二の開口部が傾斜路を備え、該傾斜路が、前記骨係合締結具が前記１つの第二の開口部内に挿入されるとき、該骨係合締結具を案内し脊柱部分に動的圧縮荷重を提供するようにした、骨固定装置。
【請求項３】  請求項１の骨固定装置において、前記少なくとも１つの第一及び第二の開口部の各々が前記上面に隣接する凹部を画成し、前記拡張した頭部が前記少なくとも１つの第一及び第二の開口部の前記凹部に対して相補的な部分球状面を画成する、骨固定装置。
【請求項４】  請求項３の骨固定装置において、前記締結具の前記頭部が截頭円錐形の上面を有する、骨固定装置。
【請求項５】  請求項３の骨固定装置において、前記多数の骨係合締結具の前記頭部を前記少なくとも１つの第一の開口部及び前記少なくとも第二の開口部内に保持するリテーナ組立体を更に備える、骨固定装置。
【請求項６】  請求項５の骨固定装置において、前記リテーナ組立体が、
前記少なくとも１つの第一の開口部に隣接して前記板に画成された第一の締結具ボアと、前記少なくとも１つの第二の開口部に隣接して前記板に画成された第二の締結具ボアと、
前記少なくとも１つの第一の開口部に隣接する少なくとも第一の開口と、前記少なくとも１つの第二の開口部に隣接する第二の開口と、該開口の各々に連通する皿穴部分とを有する座金であって、該座金が前記少なくとも１つの第一及び第二の開口部に対して第一の位置にあるとき、前記少なくとも１つの第一及び第二の開口部に重なり合う部分を有する本体を更に備え、該座金が前記少なくとも１つの第一及び第二の開口部に対して第二の位置にあるとき、骨係合締結具が前記少なくとも１つの第一の開口部及び前記少なくとも１つの第二の開口部を通じて挿入可能であるように前記本体の前記部分が配置される前記座金と、
前記座金の前記皿穴部分内に少なくとも部分的に引込む形態とされた頭部と、前記開口を貫通して伸び且つ前記板の前記締結具ボアに係合する形態とされた細長い軸部とを有し、前記開口の各々に対する係止締結具とを備える、骨固定装置。
【請求項７】  請求項６の骨固定装置において、前記板が、前記上面に該板に沿って長手方向に伸びる溝を更に画成し、該溝が前記少なくとも１つの第一及び第二の開口部に重なり合い、前記第一及び第二の締結具ボアが該溝内に配置される、骨固定装置。
【請求項８】  請求項５の骨固定装置において、前記リテーナ組立体が、前記１つの第一の開口部内にて前記骨係合締結具の前記頭部に接触する接触面と、前記１つの第二の開口部内にて前記骨係合締結具の前記頭部に重なり合う外面とを有する座金を備える、骨固定装置。
【請求項９】  請求項１の骨固定装置において、リテーナ組立体を更に備え、該リテーナ組立体が、
前記少なくとも１つの第一の開口部に隣接して前記板に画成された第一の締結具ボアと、前記少なくとも１つの第二の開口部に隣接して前記板に画成された第二の締結具ボアと、
前記少なくとも１つの第一の開口部に隣接する少なくとも第一の開口と、前記少なくとも１つの第二の開口部に隣接する第二の開口と、該開口の各々と連通する皿穴とを有する座金であって、前記少なくとも１つの第一の開口部を貫通して伸びる前記骨係合締結具の前記頭部に接触する形態とされた表面を有する前記座金と、
前記座金の前記皿穴部分内に少なくとも部分的に引込む形態とされた頭部と、前記開口を貫通して伸びて前記板の前記締結具ボアに係合する形態とされた細長い軸部とを有し、前記開口の各々に対する係止締結具とを備える、骨固定装置。
【請求項１０】  請求項９の骨固定装置において、前記座金が、前記頭部に接触せずに前記少なくとも１つの第二の穴を貫通して伸びる前記骨係合締結具の前記頭部に重なり合う外面を有する、骨固定装置。
【請求項１１】  請求項９の骨固定装置において、前記板が、前記上面に該板に沿って長手方向に伸びる溝を更に画成し、該溝が前記少なくとも１つの第一及び第二の開口部に重なり合い、前記第一及び第二の締結具ボアが該溝内に配置される、骨固定装置。
【請求項１２】  請求項１の骨固定装置において、前記細長い板が該板に沿った長手方向に分離した位置にて複数の椎骨節を画成する、骨固定装置。
【請求項１３】  請求項１２の骨固定装置において、前記板の前記第一の端部に隣接して前記椎骨節の一つにて一対の前記第一の開口部と、前記板の前記第二の端部に隣接して前記椎骨節の１つにて一対の前記第二の開口部とが設けられる、骨固定装置。
【請求項１４】  請求項１３の骨固定装置において、前記対の第一の開口部の内、前記開口部が前記中心軸線の周りで対称に配置され、前記対の第二の開口部の内、前記開口部が前記中心軸線の周りで対称に配置される、骨固定装置。
【請求項１５】  脊柱の一部分に対する骨固定装置において、
第一の端部と第二の端部との間を長手方向に伸びる中心軸線に沿った長さと、該長さに沿った上面及び底面とを有する板であって、前記面の間に複数の第一の開口部と、複数の第二の開口部とを更に画成する前記板を備え、
前記第一の開口部の少なくとも２つが、第一の直径を有する円形であり且つ前記第一の端部に隣接して配置され、
前記第二の開口部の少なくとも２つが第一の幅及び第一の長さを有してスロット付きであり且つ前記板の前記第二の端部に隣接して配置され、
前記第一及び第二の開口部を貫通して伸びる骨係合締結具であって、該骨締結具の各々が骨係合ねじを有する細長い軸部と、拡張した頭部とを有し、前記上面から前記第一及び第二の開口部内に挿入可能な形態とされた前記骨係合締結具と、
前記骨係合締結具の前記頭部を前記第一及び第二の開口部内に保持する手段であって、骨係合締結具を前記第一及び第二の開口部内に挿入することを許容する第一の位置から前記骨係合締結具を前記第一及び第二の開口部内に保持する第二の位置まで並進可能である前記保持手段とを備える、骨固定装置。
【請求項１６】  請求項１５の骨固定装置において、前記２つの第一の開口部が前記上面に隣接する凹部分を有し、前記２つの第二の開口部が前記上面に隣接する凹部分を有する骨固定装置。
【請求項１７】  請求項１６の骨固定装置において、前記骨係合締結具の前記頭部が前記２つの第一及び第二の開口部内に少なくとも部分的に引込む形態とされた、骨固定装置。
【請求項１８】  請求項１５の骨固定装置において、前記２つの第一及び第二の開口部の各々が前記上面に隣接する凹部を有し、前記拡張した頭部が前記２つの第一及び第二の開口部の前記凹部に相補的な部分球状面を有する、骨固定装置。
【請求項１９】  請求項１８の骨固定装置において、前記板が、前記上面に、前記保持手段を内部に受け入れるべく該板に沿って長手方向に伸びる溝を画成し、前記保持手段が前記凹部に重なり合う、骨固定装置。
【請求項２０】  請求項１５の骨固定装置において、前記骨係合締結具の前記頭部が傾斜面を有し、前記保持手段が、前記２つの第一の開口部を貫通して伸びる前記骨係合締結具の前記傾斜面と接触する接触面を有する、骨固定装置。
【請求項２１】  請求項１５の骨固定装置において、前記保持手段が、
前記２つの第一の開口部に隣接して前記板に画成された第一の締結具ボアと、前記２つの第二の開口部に隣接して前記板に画成された第二の締結具ボアと、
前記２つの第一の開口部に隣接する少なくとも第一の開口と、前記２つの第二の開口部に隣接する第二の開口と、該開口の各々に連通する皿穴部分とを画成する本体を有する座金であって、前記２つの第一の開口部を貫通して伸びる前記骨係合締結具の前記頭部に接触する形態とされた接触面を更に有する前記座金と、
前記座金の前記皿穴部分内に少なくとも部分的に引込む形態とされた頭部と、前記開口を貫通して伸び且つ前記板の前記締結具ボアに係合する形態とされた細長い軸部とを有し、前記開口の各々に対する係止締結具とを備える、骨固定装置。
【請求項２２】  請求項２１の骨固定装置において、前記座金の前記開口の各々が、前記板に対して長手方向に伸びる長さを有するスロットを形成する、骨固定装置。
【請求項２３】  請求項２２の骨固定装置において、前記開口の皿穴部分の少なくとも１つが、前記スロットの前記長さに沿ってテーパーが付けられ、該１つの開口の皿穴部分が、前記第二の端部から前記第一の端部に向けて前記開口の前記長さに沿って増大する幅を有する、骨固定装置。
【請求項２４】  請求項２２の骨固定装置において、前記少なくとも１つの開口が前記２つの第二の開口部に隣接して配置される、骨固定装置。
【請求項２５】  請求項１５の骨固定装置において、前記保持手段が、
前記２つの第一の開口部に隣接して前記板に画成された第一の締結具ボアと、前記２つの第二の開口部に隣接して前記板に画成された第二の締結具ボアと、
前記２つの第一の開口部に隣接する少なくとも第一の開口と、前記２つの第二の開口部に隣接する第二の開口と、該開口の各々に連通する皿穴部分とを有する座金であって、該座金が前記２つの第一及び第二の開口部に対して第一の位置にあるとき、前記２つの第一及び第二の開口部に重なり合う部分を有する本体を更に備え、該座金が前記２つの第一及び第二の開口部に対して第二の位置にあるとき、骨係合締結具が前記２つの第一の開口部及び前記２つの第二の開口部を通じて伸長可能であるように前記本体部分が配置される前記座金と、
前記座金の前記テーパー付き部分内に少なくとも部分的に引込む形態とされた頭部と、前記開口を貫通して伸び且つ前記板の前記締結具ボアに係合する形態とされた細長い軸部とを有し、前記開口の各々に対する係止締結具とを備える、骨固定装置。
【請求項２６】  請求項２５の骨固定装置において、前記座金の前記開口が、前記板の長さ方向に伸びる長さを有するスロットを形成する、骨固定装置。
【請求項２７】  請求項２６の骨固定装置において、前記開口の各々に連通する前記皿穴が、前記第二の端部から前記第一の端部に向けた方向に前記開口の長さに沿って増大する幅を有する、骨固定装置。
【請求項２８】  脊柱の一部分に対する骨固定装置において、
各々が、拡張した頭部及びねじ付き軸部を有する４つの骨係合締結具と、
第一の端部と第二の端部との間を伸びる長さを有し且つ少なくとも２つの椎骨の間を跨ぐ寸法とされた細長い板であって、前記第一の端部に隣接する一対の隣接穴と、前記第二の端部に隣接する一対の隣接スロットとを画成し、該穴及び該スロットの各々が、前記骨係合締結具の相応する一つの前記ねじ付き軸部を受け入れる形態とされた前記細長い板とを備え、
前記対の穴を貫通して伸びる前記骨係合締結具が前記板を前記第一の椎骨に固定し、前記骨係合締結具が前記スロットを貫通して伸びて前記板を前記第二の椎骨に固着し、前記スロット内に受け入れられた前記骨係合締結具が、前記板の長さ方向に前記スロット内で並進し、脊柱部分上に圧縮状態を維持することが可能であるようにされる、骨固定装置。
【請求項２９】  請求項２８の骨固定装置において、前記板が上面及び底面を有し、前記穴及び前記スロットの各々が前記上面に隣接する凹部を更に備える、骨固定装置。
【請求項３０】  請求項２８の骨固定装置において、前記穴及びスロットの各々に重なり合うと共に、前記穴及びスロットを貫通して伸びる前記骨係合締結具を保持し得る形態とされた保持機構を有するリテーナ組立体を更に備える、骨固定装置。
【請求項３１】  請求項３０の骨固定装置において、前記骨係合締結具の各々の前記頭部が傾斜面を有し、前記保持機構が、前記対の穴を貫通して伸びる前記骨係合締結具の前記傾斜面に接触し得る形態とされた接触面を有する、骨固定装置。
【請求項３２】  請求項３０の骨固定装置において、前記板が、前記対の穴の間にて前記板に画成された第一の締結具ボアと、前記対のスロットの間にて前記板に画成された第二の締結具ボアとを有し、
前記保持機構が前記穴に隣接する少なくとも第一の開口と、前記スロットに隣接する第二の開口と、該開口の各々に連通する皿穴部分とを有し、
前記リテーナ組立体が、前記開口の各々に対する係止締結具であって、前記保持機構の前記凹部内に引込み得る形態とされた頭部と、前記開口を貫通して伸び且つ前記板の前記締結具ボアに係合する形態とされた細長い軸部とを有する前記係止締結具を更に備える、骨固定装置。
【請求項３３】  請求項３２の骨固定装置において、前記係止締結具の前記細長い軸部が椎骨体に貫入する鋭い先端にて終わる、骨固定装置。
【請求項３４】  請求項３３の骨固定装置において、前記係止締結具の前記頭部が前記保持機構に接触する円錐形下面を画成する、骨固定装置。
【請求項３５】  脊柱の一部分に対する骨固定装置において、
各々が拡張した頭部及びねじ付き軸部を有する６つの骨係合締結具と、
第一の端部と第二の端部との間を伸びる長さを有し且つ少なくとも３つの椎骨を跨ぐ寸法とされた細長い板であって、第一の椎骨上の一対の穴と、第二の椎骨上の一対の中間スロットと、第三の椎骨上の一対のスロットとを画成し、前記穴及び前記スロットの各々が前記骨係合締結具の相応する１つの前記ねじ付き軸部を受け入れ得る形態とされた前記細長い板とを備え、
前記対の穴を貫通して伸びる前記骨係合締結具が前記板を前記第一の椎骨に固定し、前記骨係合締結具が前記スロットを貫通して伸びて前記板を前記第二の椎骨に固着し、前記スロット内に受け入れられた前記骨係合締結具が、前記板の長さ方向に前記スロット内で並進し、脊柱部分上に圧縮状態を維持することが可能であるようにされる、骨固定装置。
【請求項３６】  請求項３５の骨固定装置において、前記穴及びスロットの各々に重なり合うと共に、前記板の前記穴及びスロットを貫通して伸びる前記骨係合締結具を保持し得る形態とされた保持機構を有するリテーナ組立体を更に備える、骨固定装置。
【請求項３７】  前記少なくとも２つの椎骨の間を伸びる長さを有する細長い板であって、該板を少なくとも２つの椎骨に取り付けるべく骨係合締結具を挿入するための多数の開口部を画成する前記細長い板に対する締結具リテーナ組立体において、
第一の椎骨上に配置された少なくとも１つの開口部に隣接する前記板に画成された第一の締結具ボアと、第二の椎骨上に配置された少なくとも１つの開口部に隣接する前記板に画成された第二の締結具ボアと、
第一の椎骨上に配置された前記少なくとも１つの開口部に隣接する少なくとも１つの第一の開口と、第二の椎骨上に配置された前記少なくとも１つの開口部に隣接する第二の開口とを画成する座金であって、前記板の前記開口部を貫通して伸びる前記骨係合締結具を保持する形態とされた前記座金と、
前記開口を貫通して伸びると共に前記板の前記締結具ボアに係合する形態とされた細長い軸部を有する、前記開口の各々に対する係止締結具とを備え、前記骨係合締結具を前記少なくとも１つの開口部内に挿入することを可能にする第一の位置と、前記座金が前記挿入された骨係合締結具を前記板内に保持する第二の位置との間にて前記座金が可動であるように、前記板の開口部が配置され且つ形態設定される、締結具リテーナ組立体。
【請求項３８】  請求項３７のリテーナ組立体において、前記座金の前記開口が、板の長さ方向に伸びる長さを有するスロットを形成する、リテーナ組立体。
【請求項３９】  請求項３８のリテーナ組立体において、前記開口の各々が前記スロットと連通する皿穴部分を備える、リテーナ組立体。
【請求項４０】  請求項３９のリテーナ組立体において、前記開口の少なくとも１つの開口の前記皿穴部分が、テーパーが付けられ、第二の端部から第一の端部まで前記開口の長さに沿って増大する幅を有する、リテーナ組立体。
【請求項４１】  少なくとも２つの椎骨の間を伸びる細長い板であって、該板を前記少なくとも２つの椎骨に固着すべく骨係合締結具を挿入するための多数の開口部を画成する、前記細長い板に係合可能な締結具リテーナ組立体において、
中心軸線を有する保持機構であって、前記板の前記開口部の特定の開口部を通って伸びる少なくとも２つの骨係合締結具の前記頭部を保持する形態とされた前記保持機構を備え、
前記少なくとも２つの骨係合締結具を前記開口部の特定の開口部内に挿入することが可能である第一の位置と、前記保持機構が前記少なくとも２つの骨係合締結具を前記開口部内に保持する第二の位置との間で、前記保持機構が前記中心軸線に沿って可動である、リテーナ組立体。
【請求項４２】  請求項４１のリテーナ組立体において、前記保持機構が、前記板の長さ方向に伸びる長さを有する少なくとも一つのスロットを有し、
前記板は、前記少なくとも一つのスロットと連通する締結具ボアを有し、
更に、前記少なくとも一つのスロットに対する係止締結具を有し、該係止締結具は、前記少なくとも一つのスロットを通って伸びると共に前記板の前記締結具ボアに係合する形態とされた細長い軸部を有する、リテーナ組立体。
【請求項４３】  請求項４２のリテーナ組立体において、前記少なくとも一つのスロットが、前記スロットと連通する皿穴部分を備える、リテーナ組立体。
【請求項４４】  請求項４２のリテーナ組立体において、前記少なくとも１つのスロットの前記皿穴部分が、テーパーが付けられ、前記第二の端部から前記第一の端部まで前記開口の長さに沿って増大する幅を有する、リテーナ組立体。
【請求項４５】  請求項１の骨固定装置において、更に、脊柱内に配置されるインプラントを含む、骨固定装置。
【請求項４６】  請求項１５の骨固定装置において、更に、脊柱内に配置されるインプラントを含む、骨固定装置。
【請求項４７】  請求項２８の骨固定装置において、更に、脊柱内に配置されるインプラントを含む、骨固定装置。
【請求項４８】  請求項３５の骨固定装置において、更に、脊柱内に配置されるインプラントを含む、骨固定装置。
【請求項４９】  脊柱用の板固定装置であって、
第一の端部と第二の端部との間を長手方向に伸びる中心軸線に沿った長さおよび該長さに沿った上面及び底面とを有する板と、
前記板と脊柱の第１の部分とを固定された位置で固定する第１の固定装置と、
前記板と脊柱の第２の部分とを並進可能位置で固定する第２の固定装置と
を備える、板固定装置。
【請求項５０】  請求項４９の板固定装置であって、前記第１の固定装置は前記板に固定的に係合する第１の骨係合締結具を有し、前記第２の固定装置は前記板に並進可能に係合する第２の骨係合締結具を有する、板固定装置。
【請求項５１】  請求項４９の板固定装置であって、前記第２の固定装置は開口部幅および開口部長さを有する開口部を有し、前記開口部長さは略長手方向の長さであり、前記開口部長さは前記開口部幅より大きい、板固定装置。
【請求項５２】  請求項４９の板固定装置であって、前記第１の固定装置は第１の開口部寸法を画定する前記板の第１の開口部を含み、前記第２の固定装置は、長手方向に伸びるスロットを形成する前記板の第２の開口部を含み、前記スロットはスロット長さを有する、板固定装置。
【請求項５３】  請求項５２の板固定装置であって、前記第１の固定装置は前記板と脊柱とを接続する第１の締結機構を更に含み、該第１の締結機構は、前記板の第１の開口部を貫通することができる第１本体を有し、前記第１本体は、前記第１の開口部寸法に略等しい第１本体寸法を有し、前記第２の固定装置は前記板と脊柱とを接続する第２の締結機構を更に含み、前記第２の締結機構は前記板の前記第２の開口部を貫通することができる第２本体を有し、前記第２本体は前記スロット長さより実質的に小さい第２本体寸法を有する、板固定装置。
【請求項５４】  請求項４９の板固定装置であって、更に、脊柱内に配置されるインプラントを含む、板固定装置。
【請求項５５】  請求項４９の板固定装置であって、更に、前記板に移動可能に固定される保持機構を含み、該保持機構は第１の位置と第２の位置との間で移動可能であり、前記保持機構は、前記第２の位置において、前記第１の固定装置および前記第２の固定装置の少なくとも一方の少なくとも一部を前記板に対して所定の相対位置に保持する、板固定装置。
【請求項５６】  請求項５５の板固定装置であって、前記保持機構は、さらに、
並進可能な本体と、
移動可能な係止機構と、
を含み、前記並進可能な本体は、前記第２の位置において、前記第１の固定装置と前記第２の固定装置の少なくとも一方の前記一部と干渉し、前記移動可能な係止機構は、前記第２の位置において、前記並進可能な本体を固定位置に維持する、板固定装置。
【請求項５７】  請求項４９の板固定装置であって、前記板に移動可能に固定される保持機構を更に含み、前記保持機構は第１の位置と第２の位置との間で並進可能であり、前記保持機構は、前記第２の位置において、前記第１の固定装置と前記第２の固定装置の両方の少なくとも一部を、前記板の前記上面に対する所定の範囲内の相対的な位置に制限する、板固定装置。
【請求項５８】  脊柱用の板固定装置であって、
第一の端部と第二の端部との間を長手方向に伸びる中心軸線に沿った長さおよび該長さに沿った上面及び底面とを有する板と、
前記板に対して固定された位置で固定可能であり、且つ脊柱の第１部分に取り付け可能な第１の固定装置と、
前記板に対して並進可能位置で固定可能であり、且つ脊柱の第２部分に取り付け可能な第２の固定装置と、
第１の位置と第２の位置との間で移動可能な、前記板に固定可能なリテーナ本体であって、前記第２の位置において、前記第１の固定装置及び前記第２の固定装置の少なくとも一方の少なくとも一部を、前記板に対する所定の相対位置にて保持する、リテーナ本体と、
を備える、板固定装置。
【請求項５９】  請求項５８の板固定装置であって、第３位置と第４位置との間で移動可能で、且つ前記板に固定可能な係止機構を更に有し、前記第３の位置にあるとき、前記リテーナ本体は、前記第１位置と前記第２位置との間で移動可能であり、前記第４の位置にあるとき、前記係止機構は、前記リテーナ本体を固定位置に保持する、板固定装置。
【請求項６０】  請求項５８の板固定装置であって、更に、脊柱内に配置されるインプラントを含む、板固定装置。